(57)【特許請求の範囲】
【請求項１】
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、を備える警報器。
【請求項２】
前記制御部は、第２設定時間を経過するまで前記電源停止メッセージの報知を前記報知部に行わせるとともに、前記第１設定時間を経過してから前記第２設定時間を経過する前に前記報知部が前記警報メッセージの報知を停止したときは、前記第２設定時間を経過するまで前記電源停止メッセージのみを前記報知部に報知させる請求項１に記載の警報器。
【請求項３】
前記制御部は、前記報知部が前記電源停止メッセージを報知している間に前記通信部が電源停止後の前記ガスコンロからの電源投入信号を受信したときは、前記報知部に前記電源停止メッセージの報知を停止させる請求項１又は２に記載の警報器。
【請求項４】
前記報知部による警報の報知を停止させる警報停止スイッチを備え、
前記制御部は、前記警報停止スイッチの操作を受け付けたとき、前記報知部が前記電源停止メッセージを報知しているときは前記報知部に前記電源停止メッセージの報知を停止させ、前記報知部による前記警報メッセージの報知については、前記検知部がＣＯ濃度異常以外の異常を検知しているとき、及び、前記検知部が少なくともＣＯ濃度異常を検知しているときであってＣＯ濃度が所定の閾値未満であるときは、前記報知部に前記警報メッセージの報知を第３設定時間停止させ、前記検知部が少なくともＣＯ濃度異常を検知しているときであってＣＯ濃度が所定の閾値以上であるときは、前記報知部に前記警報メッセージの報知を停止させない請求項１〜３のいずれか１項に記載の警報器。
【請求項５】
点検用スイッチを備え、
前記制御部は、前記点検用スイッチに対する操作が一定時間継続して行われた後操作が解除されたとき、前記警報メッセージの点検として前記報知部に前記警報メッセージを報知させ、その後、連動動作の点検として前記通信部に前記制御信号を送信させるとともに、前記通信部が前記ガスコンロからの前記電源停止信号を受信したときに前記報知部に前記電源停止メッセージを報知させ、所定の点検時間の経過、前記通信部による前記ガスコンロからの電源投入信号の受信、及び、前記点検用スイッチの押操作のうちのいずれかがあったときに、前記報知部に前記電源停止メッセージの報知を停止させて、点検動作の終了音を報知させる請求項１〜４のいずれか１項に記載の警報器。
【請求項６】
請求項１〜５のいずれか１項に記載の警報器と、
前記警報器と信号を送受信可能なガスコンロと、を備え、
前記警報器と前記ガスコンロとが連動動作する警報器とガスコンロとの連動システム
【請求項７】
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、を備え、
前記制御部は、第２設定時間を経過するまで前記電源停止メッセージの報知を前記報知部に行わせるとともに、前記第１設定時間を経過してから前記第２設定時間を経過する前に前記報知部が前記警報メッセージの報知を停止したときは、前記第２設定時間を経過するまで前記電源停止メッセージのみを前記報知部に報知させる警報器。
【請求項８】
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、
前記報知部による警報の報知を停止させる警報停止スイッチと、を備え、
前記制御部は、前記警報停止スイッチの操作を受け付けたとき、前記報知部が前記電源停止メッセージを報知しているときは前記報知部に前記電源停止メッセージの報知を停止させ、前記報知部による前記警報メッセージの報知については、前記検知部がＣＯ濃度異常以外の異常を検知しているとき、及び、前記検知部が少なくともＣＯ濃度異常を検知しているときであってＣＯ濃度が所定の閾値未満であるときは、前記報知部に前記警報メッセージの報知を第３設定時間停止させ、前記検知部が少なくともＣＯ濃度異常を検知しているときであってＣＯ濃度が所定の閾値以上であるときは、前記報知部に前記警報メッセージの報知を停止させない警報器。
【請求項９】
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、
点検用スイッチと、を備え、
前記制御部は、前記点検用スイッチに対する操作が一定時間継続して行われた後操作が解除されたとき、前記警報メッセージの点検として前記報知部に前記警報メッセージを報知させ、その後、連動動作の点検として前記通信部に前記制御信号を送信させるとともに、前記通信部が前記ガスコンロからの前記電源停止信号を受信したときに前記報知部に前記電源停止メッセージを報知させ、所定の点検時間の経過、前記通信部による前記ガスコンロからの電源投入信号の受信、及び、前記点検用スイッチの押操作のうちのいずれかがあったときに、前記報知部に前記電源停止メッセージの報知を停止させて、点検動作の終了音を報知させる警報器。
【発明の詳細な説明】
【技術分野】
【０００１】
本発明は、ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器、及び、警報器とガスコンロとの連動システムに関する。
【背景技術】
【０００２】
ガスコンロの使用において、安全のため、ガスコンロからのガス漏れ、ＣＯ濃度異常、火災の発生などの異常状態を検知する警報器が用いられている。そして、さらなる安全性を確保するため、特開２００８−２１５７１８号公報（特許文献１）には、警報器とガスコンロとを連動させて、火災発生を検出した際に、火災を知らせる警報音を報知するのみでなく、ガスコンロの消火処理を行うシステムが提案されている。
【先行技術文献】
【特許文献】
【０００３】
【特許文献１】特開２００８−２１５７１８号公報
【発明の概要】
【発明が解決しようとする課題】
【０００４】
しかし、上記従来のシステムは、警報器が火災を検知したときにガスコンロの消火処理を行うのみで、警報器からガスコンロへの一方向の連動であり、警報器の状態をガスコンロに反映させるだけでなく、ガスコンロの状態を警報器の動作に反映させるような警報器とガスコンロとの双方向の連動を行うところまでは至っていないなど、より好適な連動動作を行わせるには改善の余地がある。
【０００５】
そこで、ガスコンロとより好適に連動動作を行うことのできる警報器、及び、警報器とガスコンロとの連動システムの実現が望まれる。
【課題を解決するための手段】
【０００６】
本発明に係る警報器は、
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、を備える。
【０００７】
この構成によれば、検知部が異常を検知したときに、警報器と連動するガスコンロの電源を停止させる制御信号を通信部に送信させ、ガスコンロの電源を停止させて消火処理を行って安全性を確保することができる。また、制御信号を送信する（即ち、ガスコンロの電源を停止させる）のを検知部が異常を検知して即座に行うとすると、検知部が誤検知をしたときやガスコンロの使用者・管理者が警報メッセージに対して素早く処理を完了できるような場合にも、不要にガスコンロの電源を停止させてしまうことになるが、この構成によれば、制御信号を送信するのを警報メッセージが報知されている状態で第１設定時間経過した後としてあるから、誤検知の場合などにおける不要なガスコンロの電源停止を効果的に回避できる。
【０００８】
さらに、この構成では、ガスコンロからの電源停止信号を受信したとき、報知部に警報メッセージに加えてガスコンロの電源停止メッセージを報知させて、警報器の状態に応じてガスコンロの電源を停止させるだけでなく、ガスコンロの電源停止を警報器に報知させるようにし、警報器とガスコンロとの双方向の連動動作を行うようにしてある。これにより、使用者・管理者にガスコンロの消火処理が行われたことを知らせることができ、例えば加熱調理中にガスコンロの消火処理が行われ、そのことに使用者が気づかずそのままガスコンロの電源が停止された状態で放置されるといった不具合を効果的に回避できる。
【０００９】
このように、上記構成によれば、不要なガスコンロの電源停止を効果的に回避するとともに、警報器とガスコンロとの双方向の連動動作を行うことができ、より好適に連動動作を行うことのできる警報器が実現される。
【００１０】
以下、本発明に係る警報器の好適な態様について説明する。但し、以下に記載する好適な態様例によって、本発明の範囲が限定される訳ではない。
【００１１】
１つの態様として、前記制御部は、第２設定時間を経過するまで前記電源停止メッセージの報知を前記報知部に行わせるとともに、前記第１設定時間を経過してから前記第２設定時間を経過する前に前記報知部が前記警報メッセージの報知を停止したときは、前記第２設定時間を経過するまで前記電源停止メッセージのみを前記報知部に報知させると好適である。
【００１２】
この構成によれば、電源停止メッセージの報知がされるのを第２設定時間までとし、第２設定時間経過後はより重要な警報メッセージのみが報知されるようにし、より安全性を確保することができる。また、検知部が異常を検知しなくなったとき報知部は警報メッセージの報知を停止するが、報知部が警報メッセージの報知を停止する（検知部が異常を検知しなくなる）のが第２設定時間を経過する前であるときも、第２設定時間を経過するまでは報知部が電源停止メッセージを報知するようにし、ガスコンロの使用者・管理者にガスコンロの電源が停止したことを十分な時間をもって知らせることができる。
【００１３】
１つの態様として、前記制御部は、前記報知部が前記電源停止メッセージを報知している間に前記通信部が電源停止後の前記ガスコンロからの電源投入信号を受信したときは、前記報知部に前記電源停止メッセージの報知を停止させると好適である。
【００１４】
この構成によれば、ガスコンロの電源が投入されたときにも警報器がガスコンロと連動動作するようにしてあり、電源停止メッセージが報知されている状態でガスコンロの電源が投入されたときには警報器を操作することなく警報器に電源停止メッセージの報知を停止させることができる。これにより、電源停止メッセージを不必要に報知させることを回避することができる。さらに、警報器を操作しなくても電源停止メッセージの報知を停止することができるから、警報が発せられている緊急時における作業数を低減することができる。
【００１５】
１つの態様として、前記報知部による警報の報知を停止させる警報停止スイッチを備え、前記制御部は、前記警報停止スイッチの操作を受け付けたとき、前記報知部が前記電源停止メッセージを報知しているときは前記報知部に前記電源停止メッセージの報知を停止させ、前記報知部による前記警報メッセージの報知については、前記検知部がＣＯ濃度異常以外の異常を検知しているとき、及び、前記検知部が少なくともＣＯ濃度異常を検知しているときであってＣＯ濃度が所定の閾値未満であるときは、前記報知部に前記警報メッセージの報知を第３設定時間停止させ、前記検知部が少なくともＣＯ濃度異常を検知しているときであってＣＯ濃度が所定の閾値以上であるときは、前記報知部に前記警報メッセージの報知を停止させないと好適である。
【００１６】
この構成によれば、警報停止スイッチを操作することにより、使用者・管理者が現場に駆け付けたのち警報メッセージを不要と判断したときなどに、警報器が警報メッセージを不必要に報知させることを回避することができる。そして、火災発生における煙のように目視できず、且つ、危険性の高い高濃度のＣＯ濃度異常（即ち、ＣＯ濃度が所定の閾値以上の場合）を検知部が検知しているとき警報停止スイッチの押操作によっても報知部に警報メッセージの報知を停止させないようにすることで、より安全性を確保することができる。
【００１７】
１つの態様として、点検用スイッチを備え、前記制御部は、前記点検用スイッチに対する操作が一定時間継続して行われた後操作が解除されたとき、前記警報メッセージの点検として前記報知部に前記警報メッセージを報知させ、その後、連動動作の点検として前記通信部に前記制御信号を送信させるとともに、前記通信部が前記ガスコンロからの前記電源停止信号を受信したときに前記報知部に前記電源停止メッセージを報知させ、所定の点検時間の経過、前記通信部による前記ガスコンロからの電源投入信号の受信、及び、前記点検用スイッチの押操作のうちのいずれかがあったときに、前記報知部に前記電源停止メッセージの報知を停止させて、点検動作の終了音を報知させると好適である。
【００１８】
この構成によれば、点検用スイッチの操作により、安全性の確保のために検知部が異常を検知したときには確実に行われる必要のある警報器による警報メッセージの報知とガスコンロの電源停止とを点検することができる。これにより、より安全性を確保することができる。また、点検用スイッチに対する押操作が一定時間継続して行われないと点検動作が行われないようにしてあるから、不意に点検用スイッチを操作してしまった場合などに、不要に点検動作が行われて、警報メッセージが報知されたりガスコンロの電源が停止する不具合を回避することができる。さらに、電源停止メッセージの報知を停止させた後に、点検動作の終了音を報知するので、点検が終了したことを利用者によりわかりやすく伝えることができる。
【００１９】
本発明に係る警報器とガスコンロとの連動システムは、
上記した本発明に係る警報器と、
前記警報器と信号を送受信可能なガスコンロと、を備え、
前記警報器と前記ガスコンロとが連動動作する。
【００２０】
この構成によれば、ガスコンロと好適に連動動作を行うことのできる警報器を警報器と信号を送受信可能なガスコンロと連動動作させるから、より好適に連動動作を行うことのできる警報器とガスコンロとの連動システムが実現される。
本発明に係る警報器は、
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、を備え、
前記制御部は、第２設定時間を経過するまで前記電源停止メッセージの報知を前記報知部に行わせるとともに、前記第１設定時間を経過してから前記第２設定時間を経過する前に前記報知部が前記警報メッセージの報知を停止したときは、前記第２設定時間を経過するまで前記電源停止メッセージのみを前記報知部に報知させる。
この構成によれば、検知部が異常を検知したときに、警報器と連動するガスコンロの電源を停止させる制御信号を通信部に送信させ、ガスコンロの電源を停止させて消火処理を行って安全性を確保することができる。また、制御信号を送信する（即ち、ガスコンロの電源を停止させる）のを検知部が異常を検知して即座に行うとすると、検知部が誤検知をしたときやガスコンロの使用者・管理者が警報メッセージに対して素早く処理を完了できるような場合にも、不要にガスコンロの電源を停止させてしまうことになるが、この構成によれば、制御信号を送信するのを警報メッセージが報知されている状態で第１設定時間経過した後としてあるから、誤検知の場合などにおける不要なガスコンロの電源停止を効果的に回避できる。さらに、この構成では、ガスコンロからの電源停止信号を受信したとき、報知部に警報メッセージに加えてガスコンロの電源停止メッセージを報知させて、警報器の状態に応じてガスコンロの電源を停止させるだけでなく、ガスコンロの電源停止を警報器に報知させるようにし、警報器とガスコンロとの双方向の連動動作を行うようにしてある。これにより、使用者・管理者にガスコンロの消火処理が行われたことを知らせることができ、例えば加熱調理中にガスコンロの消火処理が行われ、そのことに使用者が気づかずそのままガスコンロの電源が停止された状態で放置されるといった不具合を効果的に回避できる。このように、上記構成によれば、不要なガスコンロの電源停止を効果的に回避するとともに、警報器とガスコンロとの双方向の連動動作を行うことができ、より好適に連動動作を行うことのできる警報器が実現される。さらに、この構成によれば、電源停止メッセージの報知がされるのを第２設定時間までとし、第２設定時間経過後はより重要な警報メッセージのみが報知されるようにし、より安全性を確保することができる。また、検知部が異常を検知しなくなったとき報知部は警報メッセージの報知を停止するが、報知部が警報メッセージの報知を停止する（検知部が異常を検知しなくなる）のが第２設定時間を経過する前であるときも、第２設定時間を経過するまでは報知部が電源停止メッセージを報知するようにし、ガスコンロの使用者・管理者にガスコンロの電源が停止したことを十分な時間をもって知らせることができる。
本発明に係る警報器は、
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、
前記報知部による警報の報知を停止させる警報停止スイッチと、を備え、
前記制御部は、前記警報停止スイッチの操作を受け付けたとき、前記報知部が前記電源停止メッセージを報知しているときは前記報知部に前記電源停止メッセージの報知を停止させ、前記報知部による前記警報メッセージの報知については、前記検知部がＣＯ濃度異常以外の異常を検知しているとき、及び、前記検知部が少なくともＣＯ濃度異常を検知しているときであってＣＯ濃度が所定の閾値未満であるときは、前記報知部に前記警報メッセージの報知を第３設定時間停止させ、前記検知部が少なくともＣＯ濃度異常を検知しているときであってＣＯ濃度が所定の閾値以上であるときは、前記報知部に前記警報メッセージの報知を停止させない。
この構成によれば、検知部が異常を検知したときに、警報器と連動するガスコンロの電源を停止させる制御信号を通信部に送信させ、ガスコンロの電源を停止させて消火処理を行って安全性を確保することができる。また、制御信号を送信する（即ち、ガスコンロの電源を停止させる）のを検知部が異常を検知して即座に行うとすると、検知部が誤検知をしたときやガスコンロの使用者・管理者が警報メッセージに対して素早く処理を完了できるような場合にも、不要にガスコンロの電源を停止させてしまうことになるが、この構成によれば、制御信号を送信するのを警報メッセージが報知されている状態で第１設定時間経過した後としてあるから、誤検知の場合などにおける不要なガスコンロの電源停止を効果的に回避できる。さらに、この構成では、ガスコンロからの電源停止信号を受信したとき、報知部に警報メッセージに加えてガスコンロの電源停止メッセージを報知させて、警報器の状態に応じてガスコンロの電源を停止させるだけでなく、ガスコンロの電源停止を警報器に報知させるようにし、警報器とガスコンロとの双方向の連動動作を行うようにしてある。これにより、使用者・管理者にガスコンロの消火処理が行われたことを知らせることができ、例えば加熱調理中にガスコンロの消火処理が行われ、そのことに使用者が気づかずそのままガスコンロの電源が停止された状態で放置されるといった不具合を効果的に回避できる。このように、上記構成によれば、不要なガスコンロの電源停止を効果的に回避するとともに、警報器とガスコンロとの双方向の連動動作を行うことができ、より好適に連動動作を行うことのできる警報器が実現される。さらに、この構成によれば、警報停止スイッチを操作することにより、使用者・管理者が現場に駆け付けたのち警報メッセージを不要と判断したときなどに、警報器が警報メッセージを不必要に報知させることを回避することができる。そして、火災発生における煙のように目視できず、且つ、危険性の高い高濃度のＣＯ濃度異常（即ち、ＣＯ濃度が所定の閾値以上の場合）を検知部が検知しているとき警報停止スイッチの押操作によっても報知部に警報メッセージの報知を停止させないようにすることで、より安全性を確保することができる。
本発明に係る警報器は、
ガス漏れ、ＣＯ濃度異常、及び、火災発生のうちの少なくともいずれか１つの異常を検知する検知部と、前記検知部が異常を検知したときに警報を発する報知部と、を備え、ガスコンロと連動可能な警報器であって、
前記ガスコンロとの間で信号の送受信が可能な通信部と、
前記検知部が異常を検知している間、前記報知部に警報メッセージを報知させ、
さらに、前記検知部が異常を検知して、前記報知部が前記警報メッセージを報知している状態で第１設定時間経過したとき、前記ガスコンロの電源を停止させる制御信号を前記通信部に送信させるとともに、前記通信部が前記ガスコンロからの電源停止信号を受信したとき、前記報知部に前記警報メッセージに加えて前記ガスコンロが電源停止したことを内容とする電源停止メッセージを報知させる制御部と、
点検用スイッチと、を備え、
前記制御部は、前記点検用スイッチに対する操作が一定時間継続して行われた後操作が解除されたとき、前記警報メッセージの点検として前記報知部に前記警報メッセージを報知させ、その後、連動動作の点検として前記通信部に前記制御信号を送信させるとともに、前記通信部が前記ガスコンロからの前記電源停止信号を受信したときに前記報知部に前記電源停止メッセージを報知させ、所定の点検時間の経過、前記通信部による前記ガスコンロからの電源投入信号の受信、及び、前記点検用スイッチの押操作のうちのいずれかがあったときに、前記報知部に前記電源停止メッセージの報知を停止させて、点検動作の終了音を報知させる。
この構成によれば、検知部が異常を検知したときに、警報器と連動するガスコンロの電源を停止させる制御信号を通信部に送信させ、ガスコンロの電源を停止させて消火処理を行って安全性を確保することができる。また、制御信号を送信する（即ち、ガスコンロの電源を停止させる）のを検知部が異常を検知して即座に行うとすると、検知部が誤検知をしたときやガスコンロの使用者・管理者が警報メッセージに対して素早く処理を完了できるような場合にも、不要にガスコンロの電源を停止させてしまうことになるが、この構成によれば、制御信号を送信するのを警報メッセージが報知されている状態で第１設定時間経過した後としてあるから、誤検知の場合などにおける不要なガスコンロの電源停止を効果的に回避できる。さらに、この構成では、ガスコンロからの電源停止信号を受信したとき、報知部に警報メッセージに加えてガスコンロの電源停止メッセージを報知させて、警報器の状態に応じてガスコンロの電源を停止させるだけでなく、ガスコンロの電源停止を警報器に報知させるようにし、警報器とガスコンロとの双方向の連動動作を行うようにしてある。これにより、使用者・管理者にガスコンロの消火処理が行われたことを知らせることができ、例えば加熱調理中にガスコンロの消火処理が行われ、そのことに使用者が気づかずそのままガスコンロの電源が停止された状態で放置されるといった不具合を効果的に回避できる。このように、上記構成によれば、不要なガスコンロの電源停止を効果的に回避するとともに、警報器とガスコンロとの双方向の連動動作を行うことができ、より好適に連動動作を行うことのできる警報器が実現される。さらに、この構成によれば、点検用スイッチの操作により、安全性の確保のために検知部が異常を検知したときには確実に行われる必要のある警報器による警報メッセージの報知とガスコンロの電源停止とを点検することができる。これにより、より安全性を確保することができる。また、点検用スイッチに対する押操作が一定時間継続して行われないと点検動作が行われないようにしてあるから、不意に点検用スイッチを操作してしまった場合などに、不要に点検動作が行われて、警報メッセージが報知されたりガスコンロの電源が停止する不具合を回避することができる。さらに、電源停止メッセージの報知を停止させた後に、点検動作の終了音を報知するので、点検が終了したことを利用者によりわかりやすく伝えることができる。
【図面の簡単な説明】
【００２１】
【図１】連動システムの概略図
【図２】警報器の正面図
【図３】警報器のブロック図
【図４】制御部による報知部の制御を示すフローチャート
【図５】警報メッセージ決定処理を示すフローチャート
【図６】警報停止スイッチが押操作されたときの処理を示すフローチャート
【図７】電源投入信号を受信したときの処理を示すフローチャート
【図８】低濃度のＣＯ濃度異常を検知するときの処理を示すフローチャート
【図９】点検動作の処理を示すフローチャート
【図１０】ガス漏れ検知時の動作を示す表
【図１１】ＣＯ濃度異常検知時の動作を示す表
【図１２】ガス漏れの注意状態＋ＣＯ濃度異常検知時の動作を示す表
【図１３】ガス漏れ＋ＣＯ濃度異常検知時の動作を示す表
【図１４】火災発生検知時の動作を示す表
【図１５】ガス漏れ＋ＣＯ濃度異常＋火災発生検知時の動作を示す表
【図１６】点検動作時の動作を示す表
【発明を実施するための形態】
【００２２】
本発明に係る警報器、及び、警報器とガスコンロとの連動システムについて、図面を参照して説明する。図１に示すように、本実施形態に係る警報器とガスコンロとの連動システムＳは、ガス漏れ、ＣＯ濃度異常、及び、火災発生のうちの少なくともいずれか１つの異常を検知して警報を発するとともに信号の送受信によりガスコンロと連動可能な警報器１０と、警報器１０と信号を送受信可能なガスコンロ１と、を備え、警報器１０とガスコンロ１とが連動動作する連動システムＳである。この連動システムＳでは、警報器１０が送信する制御信号σ１によりガスコンロ１の電源が停止し、電源を停止したガスコンロ１から送信される電源停止信号σ２を警報器Ｓが受信して、警報器１０がガスコンロ１の電源停止メッセージの報知を行うという連動動作を行う。
【００２３】
本実施形態に係る連動システムＳにおいて、ガスコンロ１は有線又は無線により警報器１０と信号を送受信可能な通信部（図示しない）を備える。そして、ガスコンロ１は、警報器１０から送信されるガスコンロ１の電源を停止させる制御信号σ１を通信部が受信したときに電源を停止する構成にしてある。なお、ガスコンロ１の電源が停止しても、通信部には通電を行い起動状態にしておく。また、通信部は電源を停止したときは電源停止信号σ２を警報器１０に送信し、ガスコンロ１の電源が投入されたときには電源投入信号σ３を警報器１０に送信する構成にしてある。
【００２４】
本実施形態に係る連動システムＳにおいて、警報器１０は、図２に示すように、警報音などを音声で報知する報知部１１と、電源入力の状況や異常を検知したことを表示する表示部１２と、押操作により警報音を停止させる警報停止スイッチ１３と、ガスやＣＯ（一酸化炭素）、煙などを警報器１０内に流入させる複数のスリット１４と、を備える。
【００２５】
表示部１２は、電源が入力されていることを表示する電源ランプ１２ａ、警報器１０自体が正常に動作しているかを表示する状態表示ランプ１２ｂ、ＣＯ濃度が異常又は注意状態であることを表示するＣＯ警報ランプ１２ｃ、ガス漏れが生じていることを表示するガス警報ランプ１２ｄ、及び、煙が発生していることを表示する火災警報ランプ１２ｅから構成される。なお、電源ランプ１２ａと状態表示ランプ１２ｂとを別のランプとするのでなく、電源ランプ１２ａと状態表示ランプ１２ｂとを一体のランプで構成してもよい。
【００２６】
警報停止スイッチ１３は、押操作（操作の一例）により報知部１１による警報音を停止させるものであるが、報知部１１が警報メッセージを報知していないとき（検知部１５がいずれの異常も検知していないとき）は、警報停止スイッチ１３に対する押操作が一定時間継続して行われる長押操作の後、押操作が解除されたとき（つまり、警報停止スイッチ１３を離したとき）は、警報器１０が点検動作を行うように構成されている。即ち、警報停止スイッチ１３は、点検用スイッチを兼ねたものとなっている。
【００２７】
さらに警報器１０は、図３に示すように、スリット１４から流入するガス、ＣＯ及び煙からガス漏れ、ＣＯ濃度異常、及び、火災発生などの異常を検知する検知部１５、検知部１５と連動するタイマー１６、各種の制御を行う制御部１７、警報メッセージのパターンなどを格納してある記憶部１８、警報器１０と連動するガスコンロ１との間で有線又は無線により信号の送受信が可能な通信部１９、警報停止スイッチ１３の状態（つまり、押操作が行われているかどうか）が入力される入力部２０、を備える。
【００２８】
検知部１５は、ＣＯを検知するＣＯセンサ１５ａ、ガスを検知するガスセンサ１５ｂ、煙を検知する煙センサ１５ｃ、及び、ＣＯ濃度異常などの各種判定を行う判定部１５ｄとから構成される。
【００２９】
判定部１５ｄは、各センサ１５ａ〜１５ｃの出力に基づきＣＯ、ガス及び煙の濃度を算出し、算出結果に基づいて各種判定を行う。具体的には、判定部１５ｄは、ＣＯについては異常と注意状態とを判定する構成にしてあり、その濃度が所定の異常濃度を超えたときに高濃度のＣＯ濃度異常と判定（検知）し、その濃度が異常濃度より低く且つ異常濃度より低く設定してある注意濃度より高いときにＣＯ濃度の注意状態を判定（検知）し、さらに、後述する第５設定時間継続してＣＯ濃度の注意状態を判定（検知）しているときに、低濃度のＣＯ濃度異常と判定（検知）する。ガスについても異常と注意状態とを判定する構成にしてあり、その濃度が所定の異常濃度を超えたときにガス漏れの異常と判定し、その濃度が異常濃度より低く且つ異常濃度より低く設定してある注意濃度より高いときにガス漏れの注意状態を判定（検知）する。また、判定部１５ｄは火災発生については異常のみを判定し、煙の濃度が所定の濃度を超えたときに火災発生の異常と判定する。このように、検知部１５は、各センサ１５ａ〜１５ｃの出力に基づき判定部１５ｄが各種判定を行うことにより、ガス漏れ、ＣＯ濃度異常、及び、火災発生などの異常や注意状態を検知する構成としてある。
【００３０】
ここで、ＣＯについては、高濃度と低濃度との２つのＣＯ濃度異常を検知するようにしてあるが、これは、ＣＯの人体に対する危険性にかんがみ、ＣＯ濃度に関しては、即座に異常と判定するような高濃度ではなくとも、注意する必要のあるＣＯ濃度の状態（注意状態）が一定時間（第５設定時間）継続した場合にもＣＯ濃度異常を検知するようにすることで、より安全性を確保してある。また、あくまでも注意状態のＣＯ濃度であるので、即座にガスコンロの電源停止やＣＯ濃度異常メッセージの報知を行うのではなく、その状態が一定時間経過した後とすることにより、不要なガスコンロの電源停止やＣＯ濃度異常メッセージの報知を回避してある。
【００３１】
タイマー１６は、検知部１５の検知結果に応じて時間の計測を開始する構成にしてある。具体的には、検知部１５がガス漏れ、ＣＯ濃度異常（低濃度及び高濃度を含む）、及び、火災発生のうち少なくともいずれか１つの異常を検知したとき、又は、ＣＯ濃度の注意状態を検知したときに、時間の計測を開始する構成にしてある。
【００３２】
制御部１７は、検知部１５の検知結果やタイマー１６の計測する時間、警報停止スイッチ１３からの入力、通信部１９からの受信信号に応じて、報知部１１や表示部１２、通信部１９の制御を行う。
【００３３】
まず、表示部１２の制御について説明する。電源ランプ１２ａについては、制御部１７は、電源が入力されているときは点灯させ、電源が入力されていないときは消灯状態にする。また、制御部１７は、後述する点検動作を行うときには、電源ランプ１２ａを点滅させる。
【００３４】
状態表示ランプ１２ｂについては、制御部１７は、警報器１０の動作が正常であるときは消灯状態とし、電源電圧が低下した状態や、警報器１０の異常が認められる状態（故障）等に陥った場合などに点灯（あるいは点滅）させる。
【００３５】
ＣＯ警報ランプ１２ｃについては、制御部１７は、検知部１５がＣＯ濃度異常及びＣＯ濃度の注意状態を検知していないとき消灯状態とし、検知部１５がＣＯ濃度の注意状態及び低濃度のＣＯ濃度異常を検知しているとき点滅させ、検知部１５が高濃度のＣＯ濃度異常を検知しているとき点灯させる。
【００３６】
ガス警報ランプ１２ｄについては、制御部１７は、検知部１５がガス漏れ及びガス漏れの注意状態を検知していないとき消灯状態とし、検知部１５がガス漏れの注意状態を検知しているとき点滅させ、検知部１５がガス漏れを検知しているとき点灯させる。
【００３７】
火災警報ランプ１２ｅについては、制御部１７は、検知部１５が火災発生を検知していないとき消灯状態とし、検知部１５が火災発生を検知しているとき、火災警報ランプ１２ｅの一部が点灯し、その点灯部位が左右に往復する往復表示を行わせる。
【００３８】
また、制御部１７は、検知部１５がガス漏れ、ＣＯ濃度異常（低濃度及び高濃度を含む）、及び、火災発生のうち少なくともいずれか１つの異常を検知したときに報知部１１に警報を発せさせる構成にしてあり、検知部１５がいずれかの異常を検知している間、報知部１１に警報メッセージを報知させる。そして、一度警報メッセージは報知されてから、その後検知部１５が異常を検知しなくなったときは、報知部１１に警報メッセージの報知を停止させる。報知させる警報メッセージは検知された異常の種類に応じて設定し、これらの警報メッセージのパターンは記憶部１８に格納してある。そして、制御部１７は検知された異常の種類に対応する警報メッセージを記憶部１８から読み取り、その警報メッセージを報知部１１に報知させる。
【００３９】
具体的には、制御部１７は、検知部１５がガス漏れの異常のみを検知しているときは、ガス漏れに関する警報メッセージ（ガス漏れメッセージ）を報知部１１に繰り返し報知させ、検知部１５がＣＯ濃度異常（低濃度及び高濃度を含む）のみを検知しているときは、ＣＯ濃度異常に関する警報メッセージ（ＣＯ濃度異常メッセージ）を繰り返し報知部１１に報知させ、検知部１５が火災発生のみを検知しているときは、火災発生に関する警報メッセージ（火災メッセージ）を報知部１１に繰り返し報知させる。
【００４０】
また、検知部１５が複数の異常を検知している場合については、検知部１５が少なくとも火災発生を検知しているとき（つまり、火災発生とガス漏れ、火災発生とＣＯ濃度異常、又は火災発生とガス漏れとＣＯ濃度異常を検知しているとき）は、火災の危険性にかんがみ火災メッセージのみを報知部１１に繰り返し報知させる。これにより、最も危険性の高い火災発生が生じていることをガスコンロ１の使用者・管理者に明確に伝えることができ、他の異常に関する警報メッセージも併せて報知する場合に比べ、より安全性を確保することができる。
【００４１】
なお、検知部１５が少なくとも火災発生を検知しているときに報知部１１に報知させる警報メッセージである火災メッセージは第１火災メッセージと第２火災メッセージとの２段階に設定してあり、制御部１７は、検知部１５が少なくとも火災発生を検知しているときは、後述する第２設定時間より長く設定してある第４設定時間（例えば２分）を経過するまでは報知部１１に第１火災メッセージを報知させ、第４設定時間を経過した後は報知部１１に第２火災メッセージを報知させる。
【００４２】
また、検知部１５がガス漏れの異常及びＣＯ濃度異常の２つを検知しているときは、ガス漏れメッセージとＣＯ濃度異常メッセージとの両者を報知部１１に繰り返し報知させる。
【００４３】
より具体的には、各場合について、以下の警報メッセージを報知させる。
（１）ガス漏れの異常のみを検知しているとき
「ウー、ウー、ピッ、ピッ、ピッ、ピッ、ガスが漏れていませんか。」（ガス漏れメッセージ）
（２）ＣＯ濃度異常のみを検知しているとき
「ウー、ウー、ピッポッ、ピッポッ、空気が汚れて危険です。窓を開けて換気して下さい。」（ＣＯ濃度異常メッセージ）
（３）ガス漏れの異常及びＣＯ濃度異常を検知しているとき
「ウー、ウー、ピッ、ピッ、ピッ、ピッ、ガスが漏れていませんか。ウー、ウー、ピッポッ、ピッポッ、空気が汚れて危険です。窓を開けて換気して下さい。」（ガス漏れメッセージ＋ＣＯ濃度異常メッセージ）
（４）少なくとも火災発生を検知しているとき
（４−１）火災発生検知（警報開始）から第４設定時間経過するまで
「ウー、ウー、カン、カン、カン、火災警報器が作動しました。確認して下さい。」（第１火災メッセージ）
（４−２）火災発生検知（警報開始）から第４設定時間経過後
「ウー、ウー、カン、カン、カン、火事です。火事です。」（第２火災メッセージ）
【００４４】
また、制御部１７は、検知部１５がいずれかの異常を検知して、報知部１１が警報メッセージを報知している状態で（検知部１５が異常を検知している状態で）タイマー１６により計測される時間が予め定めた第１設定時間（例えば３０秒）を経過したとき、警報器１０と連動するガスコンロ１の電源を停止させる制御信号σ１を通信部１９に送信させる。そして、ガスコンロ１の側からの応答として、通信部１９がガスコンロ１からの電源停止信号σ２を受信したとき、制御部１７は、報知部１１に警報メッセージに加えてガスコンロ１が電源停止したことを内容とする電源停止メッセージ（「ガスコンロを止めました。」）を報知させる。例えば、制御部１７は、ガス漏れの異常のみを検知しているときには、ガス漏れメッセージに加えて電源停止メッセージを報知させるが、具体的には、「ウー、ウー、ピッ、ピッ、ピッ、ピッ、ガスが漏れていませんか。ガスコンロを止めました。」のメッセージを報知部１１に繰り返し報知させる。
【００４５】
このように、制御信号σ１を送信するのを、報知部１１が警報メッセージを報知している状態で第１設定時間経過した後とすることで、誤検知の場合などにおける不要なガスコンロ１の電源停止を回避してある。また、ガスコンロ１の電源停止を警報器１０に報知させるようにし、警報器１０とガスコンロ１との双方向の連動動作を行うようにしてある。これにより、ガスコンロ１の使用者・管理者にガスコンロの消火処理が行われたことを知らせることができ、例えば加熱調理中にガスコンロ１の消火処理が行われ、そのことに使用者が気づかずそのままガスコンロ１の電源が停止された状態で放置されるといった不具合を回避できる。
【００４６】
制御部１７は、タイマー１６により計測される時間が第１設定時間より長い第２設定時間（例えば９０秒）を経過するまで電源停止メッセージの報知を報知部１１に行わせる。また、第１設定時間を経過してから第２設定時間を経過する前に報知部１１が警報メッセージを停止したとき（検知部１５が異常を検知しなくなったとき）は、第２設定時間を経過するまで電源停止メッセージのみを報知部１１に報知させる。
【００４７】
このように、電源停止メッセージの報知がされるのを第２設定時間までとし、第２設定時間経過後はより重要な警報メッセージのみが報知されるようにしてある。また、報知部１１が警報メッセージの報知を停止する（検知部１５が異常を検知しなくなる）のが第２設定時間を経過する前であるときも、第２設定時間を経過するまでは報知部１１が電源停止メッセージを報知するようにし、ガスコンロ１の使用者・管理者にガスコンロ１の電源が停止したことを十分な時間をもって知らせるようにしてある。
【００４８】
図４に示すフローチャートを用いて、上述した制御部１７による報知部１１の制御を説明する。まず、検知部１５がガス漏れ、ＣＯ濃度異常（低濃度及び高濃度を含む）、及び、火災発生のうち少なくともいずれか１つの異常を検知したとき（ステップ＃１）、その異常に対応する警報メッセージを決定する警報メッセージ決定処理が行われる（ステップ＃２）。
【００４９】
警報メッセージ決定処理は、例えば、図５に示すフローチャートのように行われる。まず、検知された異常に火災発生が含まれるか否かを判定する（ステップ＃２−１）。そして、検知された異常に火災発生が含まれるとき（ステップ＃２−１：Ｙｅｓ）は、警報メッセージを火災メッセージに決定する（ステップ＃２−２）。
【００５０】
検知された異常に火災発生が含まれないとき（ステップ＃２−１：Ｎｏ）は、検知された異常にガス漏れが含まれるか否かを判定する（ステップ＃２−３）。そして、検知された異常にガス漏れが含まれるとき（ステップ＃２−３：Ｙｅｓ）は、さらに、検知された異常にＣＯ濃度異常が含まれるか否かを判定する（ステップ＃２−４）。
【００５１】
そして、検知された異常にＣＯ濃度異常が含まれるとき（ステップ＃２−４：Ｙｅｓ）は、警報メッセージをガス漏れメッセージ＋ＣＯ濃度異常メッセージに決定する（ステップ＃２−５）。検知された異常にＣＯ濃度異常が含まれないとき（ステップ＃２−４：Ｎｏ）は、警報メッセージをガス漏れメッセージに決定する（ステップ＃２−６）。
【００５２】
ステップ＃２−３の判定において、検知された異常にガス漏れが含まれないとき（ステップ＃２−３：Ｎｏ）は、検知された異常はＣＯ濃度異常のみであるので、警報メッセージをＣＯ濃度異常メッセージに決定する（ステップ＃２−７）。
【００５３】
警報メッセージ決定処理により警報メッセージを決定すると（ステップ＃２）、制御部１７は決定した警報メッセージを報知部１１に報知させる（ステップ＃３）。その後、異常が検知された状態で（ステップ＃４：Ｙｅｓ）、異常検知から第１設定時間が経過すると（ステップ＃５：Ｙｅｓ）、警報器１０と連動するガスコンロ１の電源を停止させるため、制御部１７は通信部１９に制御信号σ１を送信させる（ステップ＃６）。
【００５４】
また、異常検知から第１設定時間が経過する前に（ステップ＃５：Ｎｏ）、検知部１５で異常が検知されなくなると（ステップ＃４：Ｎｏ）、制御部１７は報知部１１に警報メッセージの報知を停止させ（ステップ＃１３）、検知部１５で再度異常が検知されるまで待機状態に戻る。
【００５５】
通信部１９が制御信号σ１を送信したあと（ステップ＃６）、制御部１７は、ガスコンロ１の電源が停止されてガスコンロ１の側からの電源停止信号σ２を通信部１９が受信するまで所定時間待機し、所定時間経過しても電源停止信号σ２を通信部１９が受信しないとき（ステップ＃７：Ｎｏ）、再度通信部１９に制御信号σ１を送信させる（ステップ＃６）。通信部１９が電源停止信号σ２を受信すると（ステップ＃７：Ｙｅｓ）、制御部１７は報知部１１に警報メッセージに加えて電源停止メッセージを報知させる（ステップ＃８）。なお、ステップ＃８において、報知部１１が火災メッセージを報知しているときは、電源停止メッセージの報知処理は行わず、火災メッセージのみを報知させ続けてもよい。
【００５６】
その後、検知部１５がいずれかの異常を検知した状態で（ステップ＃９：Ｙｅｓ）、異常検知から第２設定時間が経過するまでは（ステップ＃１０：Ｎｏ）、制御部１７は、報知部１１に警報メッセージと電源停止メッセージとの報知を継続して行わせる。また、検知部１５がいずれかの異常を検知した状態で（ステップ＃９：Ｙｅｓ）、異常検知から第２設定時間が経過すると（ステップ＃１０：Ｙｅｓ）、制御部１７は、報知部１１に電源停止メッセージの報知を停止させ警報メッセージのみを再度報知させる（ステップ＃１１）。
【００５７】
報知部１１が警報メッセージのみを報知する状態に戻った後は（ステップ＃１１）、検知部１５にいずれかの異常が検知されている間は（ステップ＃１２：Ｙｅｓ）、制御部１７は報知部１１に警報メッセージを報知させ続ける。なお、検知部１５に検知される異常に火災発生が含まれる場合は、異常検知から第２設定時間より長い第４設定時間を経過したとき、制御部１７は、報知部１１に第１火災メッセージを報知させているのを、第２火災メッセージに変更して報知させる。
【００５８】
そして、異常に対し適切な処理がなされるなどにより検知部１５にいずれの異常も検知されなくなると（ステップ＃１２：Ｎｏ）、制御部１７は報知部１１に警報メッセージの報知を停止させ（ステップ＃１３）、検知部１５で再度異常が検知されるまで待機状態に戻る。
【００５９】
異常検知から第２設定時間が経過前に（ステップ＃１０：Ｎｏ）、検知部１５で異常が検知されなくなると（ステップ＃９：Ｎｏ）、制御部１７は報知部１１に警報メッセージの報知を停止させ電源停止メッセージのみを報知させる（ステップ＃１４）。電源停止メッセージの報知は第２設定時間が経過するまで継続し（ステップ＃１５：Ｎｏ）、第２設定時間が経過した後は（ステップ＃１５：Ｙｅｓ）、制御部１７は報知部１１に電源停止メッセージの報知を停止させ（ステップ＃１３）、検知部１５で再度異常が検知されるまで待機状態に戻る。
【００６０】
次に、警報停止スイッチ１３が押操作されたときの制御部１７による報知部１１の制御を、図６に示すフローチャートを用いて説明する。
【００６１】
制御部１７は、報知部１１が警報メッセージや電源停止メッセージを報知している間、警報停止スイッチ１３が押操作されると（警報停止スイッチ１３の操作を受け付けたとき）（ステップ＃２０）、検知部１５がＣＯ濃度異常以外の異常を検知しているときは（ステップ＃２１：Ｎｏ）、制御部１７は報知部１１に警報メッセージや電源停止メッセージの報知を（第３設定時間）停止させる（ステップ＃２２）。警報停止スイッチ１３が押操作されてから（警報メッセージの報知を停止してから）、制御部１７はタイマー１６に新たに時間の計測を開始させる。
【００６２】
検知部１５が異常を検知している状態で（ステップ＃２３：Ｙｅｓ）、タイマー１６により計測される時間が第３設定時間（例えば５分）経過した後（ステップ＃２４：Ｙｅｓ）は、制御部１７は報知部１１に警報メッセージの報知を再開させる（ステップ＃２５）。このとき、報知させる警報メッセージは検知された異常と対応するものであるが、検知される異常が火災発生を含む場合、制御部１７は報知部１１に第２火災メッセージを報知させる。なお、警報停止スイッチ１３の押操作前に、報知部１１が警報メッセージと電源停止メッセージの報知を行っていたときは、電源停止メッセージの報知を再開させることなく、警報メッセージのみ報知を再開させる。
【００６３】
一方、タイマー１６により計測される時間が第３設定時間（例えば５分）経過するまでに（ステップ＃２４：Ｎｏ）、検知部１５が異常を検知しなくなったときは（ステップ＃２４：Ｎｏ）、制御部１７は報知部１１を報知停止としたまま待機状態に戻る。
【００６４】
このように、制御部１７は、警報停止スイッチ１３の操作を受け付けたとき、報知部１１が電源停止メッセージを報知しているときは報知部１１に電源停止メッセージの報知を停止させ、報知部１１による警報メッセージの報知については、検知部１５がＣＯ濃度異常以外の異常を検知しているときは、報知部１１に警報メッセージの報知を第３設定時間停止させる。そして、制御部１７は、報知部１１が警報メッセージの報知を停止してから第３設定時間経過後に検知部１５が継続して異常を検知しているときは、報知部１１に再度対応する警報メッセージを報知させる。
【００６５】
このように、警報停止スイッチ１３の押操作により警報メッセージの報知が停止したときであっても、そのまま報知停止状態としておくのではなく、第３設定時間経過したときに継続して検知部１５が異常を検知しているときは、再度警報メッセージの報知を再開させて、使用者・管理者に異常が継続していることを伝えるようにして、より安全性を確保してある。
【００６６】
また、検知部１５の検知する異常がＣＯ濃度異常（低濃度及び高濃度を含む）を含むとき（ステップ＃２１：Ｙｅｓ）は、さらに、ＣＯ濃度が警報停止スイッチ１３の押操作により警報メッセージの報知を停止させるかどうかを判断する所定値以上であるかを判定し、ＣＯ濃度が所定の閾値未満であるときは、前記報知部に前記警報メッセージの報知を第３設定時間停止させるが、ＣＯ濃度が所定の閾値以上であるときは、警報停止スイッチ１３の押操作があっても制御部１７は報知部１１に警報メッセージを停止させない。つまり、火災発生における煙のように目視できず、且つ、危険性の高い高濃度のＣＯ濃度異常を検知部が検知しているときは、警報停止スイッチ１３の押操作によっても報知部１１に警報メッセージの報知を停止させないようにして、より安全性を確保してある。
【００６７】
その具体的処理は、まず、ＣＯ濃度が警報停止スイッチ１３の押操作により警報メッセージの報知を停止させるかどうかを判断する所定値以上であるかを判定する（ステップ＃２６）。ここで、警報メッセージの報知を停止させるかどうかを判断する所定値は適宜変更して設定すればよいが、本実施形態では、この所定値を検知部１５が高濃度のＣＯ濃度異常であると判定する異常濃度に設定してある。つまり、ＣＯ濃度がこの所定値以上であるときは高濃度のＣＯ濃度異常が検知されているときとなり、ＣＯ濃度がこの所定値未満であるときは低濃度のＣＯ濃度異常が検知されているときとなる。そして、ＣＯ濃度が所定値未満であるとき（つまり、ＣＯ濃度異常が低濃度のＣＯ濃度異常であるとき）は（ステップ＃２６：Ｎｏ）、制御部１７は、ステップ＃２２に移行し警報メッセージの報知を停止させて処理を継続する。
【００６８】
ＣＯ濃度が所定値以上であるとき（つまり、ＣＯ濃度異常が高濃度のＣＯ濃度異常であるとき）は（ステップ＃２６：Ｙｅｓ）、検知部１５の検知する異常が（高濃度の）ＣＯ濃度異常のみであるかを判定する（ステップ＃２７）。そして、検知部１５の検知する異常がＣＯ濃度異常のみであるときは、報知部１１が電源停止メッセージを報知していれば（つまり第２設定時間経過前）（ステップ＃３１：Ｙｅｓ）、制御部１７は、報知部１１に電源停止メッセージの報知を停止させＣＯ濃度異常メッセージのみを報知させて処理を継続する（ステップ＃３２）。そして、報知部１１が電源停止メッセージを報知していないときは（ステップ＃３１：Ｎｏ）、既に報知部１１はＣＯ濃度異常メッセージのみを報知しているため、制御部１７はそのまま処理を継続する。
【００６９】
これに対し、検知部１５の検知する異常が（高濃度の）ＣＯ濃度異常以外の異常を検知しているとき（つまり、検知部１５がＣＯ濃度異常のほか、ガス漏れ及び／又は火災発生を検知しているとき）に（ステップ＃２７：Ｎｏ）、制御部１７は報知部１１に報知させる警報メッセージをＣＯ濃度異常メッセージのみに変更して報知させる（ステップ＃２８）。このＣＯ濃度異常メッセージの報知は、検知部１５が（高濃度の）ＣＯ濃度異常を検知している限り（ステップ＃２９：Ｙｅｓ）、警報停止スイッチ１３の押操作から第３設定時間経過するまで行われる（ステップ＃３０：Ｎｏ）。
【００７０】
そして、検知部１５が（高濃度の）ＣＯ濃度異常を検知した状態で（ステップ＃２９：Ｙｅｓ）、警報停止スイッチ１３の押操作から第３設定時間経過した後（ステップ＃３０：Ｙｅｓ）は、ステップ＃２５に移り、制御部１７は検知されている異常と対応する警報メッセージの報知を報知部１１に再開させる（ステップ＃２５）。
【００７１】
また、第３設定時間経過前に（ステップ＃３０：Ｎｏ）、検知部１５で（高濃度の）ＣＯ濃度異常が検知されなくなると（ステップ＃２９：Ｎｏ）、ステップ＃２２に移り、制御部１７は報知部１１に警報メッセージの報知を停止させ、検知部１５がＣＯ濃度異常以外の異常を検知しているときと同様の処理が行われる。
【００７２】
また、制御部１７は、報知部１１が電源停止メッセージを報知している間に（第２設定時間経過前に）通信部１９が電源停止後のガスコンロ１からの電源投入信号σ３を受信したときは、報知部１１に電源停止メッセージの報知を停止させる。
【００７３】
つまり、図７に示すフローチャートのように、通信部１９が電源停止後のガスコンロ１からの電源投入信号σ３を受信したときは（ステップ＃４０）、その受信時が第２設定時間経過前であるときは（ステップ＃４１：Ｎｏ）、制御部１７は、報知部１１に電源停止メッセージの報知を停止させる（ステップ＃４２）。より詳しくは、電源投入信号σ３を受信したときに、警報メッセージと電源停止メッセージを報知部が報知しているときは、警報メッセージのみを報知させ、電源投入信号σ３を受信したときに、電源停止メッセージのみを報知部が報知しているときは報知部１１による報知を停止させる。
【００７４】
このように、ガスコンロ１の電源が投入されたときにも警報器１０がガスコンロ１と連動動作するようにしてあり、これにより、電源停止メッセージを不必要に報知させることを回避してある。さらに、警報器１０を操作せずに電源停止メッセージの報知を停止することを可能にしてあり、警報が発せられている緊急時における作業数を低減することができる。
【００７５】
電源投入信号σ３の受信時が第２設定時間経過後であるときは（ステップ＃４１：Ｙｅｓ）、制御部１７は、報知部１１にそのまま警報メッセージを報知させる。
【００７６】
次に、検知部１５がＣＯ濃度の注意状態を検知して、その後低濃度のＣＯ濃度異常のみを検知するときの制御部１７の動作について、図８に示すフローチャートを用いて、特に説明する。まず、検知部１５がＣＯ濃度異常以外の異常を検知することなくＣＯ濃度の注意状態を検知したとき（ステップ＃５０：Ｙｅｓ）、タイマー１６が時間の計測を開始し、タイマー１６により計測される時間が第５設定時間経過するまでは待機する（ステップ＃５１：Ｎｏ）。
【００７７】
このとき、第５設定時間経過前に（ステップ＃５１：Ｙｅｓ）、検知部１５でＣＯ濃度の注意状態が検知されなくなると（ステップ＃５０：Ｎｏ）、制御部１７は待機状態に戻る。
【００７８】
そして、ＣＯ濃度の注意状態を検知した状態で第５設定時間経過すると（ステップ＃５１：Ｙｅｓ）、検知部１５は低濃度のＣＯ濃度異常であると検知する。検知部１５による低濃度のＣＯ濃度異常であるとの判定は検知部１５がＣＯ濃度の注意状態を検知している限り継続される。そして、検知部１５が低濃度のＣＯ濃度異常であると検知したとき、制御部１７はＣＯ濃度異常メッセージを報知部１１に報知させる（ステップ＃５２）。その後、ＣＯ濃度の注意状態が検知された状態で（つまり、低濃度のＣＯ濃度異常が検知されている状態で）（ステップ＃５３：Ｙｅｓ）、ＣＯ濃度異常メッセージの報知から第１設定時間が経過すると（ステップ＃５４：Ｙｅｓ）、警報器１０と連動するガスコンロ１の電源を停止させるため、制御部１７は通信部１９に制御信号σ１を送信させる（ステップ＃５５）。
【００７９】
また、ＣＯ濃度異常メッセージの報知から第１設定時間が経過する前に（ステップ＃５４：Ｎｏ）、検知部１５でＣＯ濃度の注意状態が検知されなくなると（ステップ＃５３：Ｎｏ）、制御部１７は報知部１１にＣＯ濃度異常メッセージの報知を停止させ（ステップ＃６５）、待機状態に戻る。
【００８０】
通信部１９が制御信号σ１を送信したあと（ステップ＃５５）、制御部１７は、ガスコンロ１の電源が停止されてガスコンロ１の側からの電源停止信号σ２を通信部１９が受信するまで所定時間待機し、所定時間経過しても電源停止信号σ２を通信部１９が受信しないとき（ステップ＃５６：Ｎｏ）、再度通信部１９に制御信号σ１を送信させる（ステップ＃５５）。通信部１９が電源停止信号σ２を受信すると（ステップ＃５６：Ｙｅｓ）、制御部１７は報知部１１にＣＯ濃度異常メッセージに加え電源停止メッセージを報知させる（ステップ＃５７）。
【００８１】
その後、検知部１５がＣＯ濃度の注意状態を検知した状態で（ステップ＃５８：Ｙｅｓ）、警報停止スイッチ１３の押操作がされず（ステップ＃５９：Ｎｏ）、かつ、ガスコンロ１の側からの電源投入信号σ３を通信部１９が受信しない限り（ステップ＃６０：Ｎｏ）、ＣＯ濃度異常メッセージの報知から第２設定時間が経過するまでは（ステップ＃６１：Ｎｏ）、制御部１７は、報知部１１に警報メッセージと電源停止メッセージとの報知を継続して行わせる。
【００８２】
また、検知部１５がＣＯ濃度の注意状態を検知した状態で（ステップ＃５８：Ｙｅｓ）、警報停止スイッチ１３の押操作がされず（ステップ＃５９：Ｎｏ）、かつ、ガスコンロ１の側からの電源投入信号σ３を通信部１９が受信せずに（ステップ＃６０：Ｎｏ）、ＣＯ濃度異常メッセージの報知から第２設定時間が経過すると（ステップ＃６１：Ｙｅｓ）、制御部１７は、報知部１１に電源停止メッセージの報知を停止させＣＯ濃度異常メッセージのみを報知させる（ステップ＃６２）。また、ガスコンロ１の側からの電源投入信号σ３を通信部１９が受信したときも（ステップ＃６０：Ｙｅｓ）、制御部１７は、報知部１１に電源停止メッセージの報知を停止させＣＯ濃度異常メッセージのみを報知させる（ステップ＃６２）。
【００８３】
ステップ＃６２の後、検知部１５がＣＯ濃度の注意状態を検知している間（ステップ＃６３：Ｙｅｓ）、警報停止スイッチ１３の押操作がされない限り（ステップ＃６４：Ｎｏ）、制御部１７は報知部１１にＣＯ濃度異常メッセージの報知を行わせる。そして、検知部１５がＣＯ濃度の注意状態を検知しなくなったとき（ステップ＃６３：Ｎｏ）、又は、警報停止スイッチ１３の押操作がされたとき（ステップ＃６４：Ｙｅｓ）、制御部１７は報知部１１にＣＯ濃度異常メッセージの報知を停止させ（ステップ＃６５）、待機状態に戻る。
【００８４】
また、第２設定時間が経過する前に（ステップ＃６１：Ｎｏ）、警報停止スイッチ１３の押操作がされたときも（ステップ＃５９：Ｙｅｓ）、制御部１７は報知部１１にＣＯ濃度異常メッセージの報知を停止させ（ステップ＃６５）、待機状態に戻る。
【００８５】
第２設定時間経過前に（ステップ＃６１：Ｎｏ）、検知部１５でＣＯ濃度の注意状態が検知されなくなったときは（ステップ＃５８：Ｎｏ）、制御部１７は報知部１１に電源停止メッセージのみを報知させる（ステップ＃６６）。電源停止メッセージの報知は第２設定時間が経過するまで継続し（ステップ＃６７：Ｎｏ）、第２設定時間が経過した後は（ステップ＃６７：Ｙｅｓ）、制御部１７は報知部１１にＣＯ濃度異常メッセージの報知を停止させ（ステップ＃６５）、検知部１５で再度異常が検知されるまで待機状態に戻る。
【００８６】
また、上述したように、報知部１１が警報メッセージを報知していないとき（検知部１５がいずれの異常も検知していないとき）は、警報停止スイッチ１３に対する押操作が一定時間（例えば３秒）継続して行われた後押操作が解除されたとき、警報器１０は点検動作を行う。この点検動作のとき、制御部１７は、警報メッセージの点検として報知部１１に警報メッセージを報知させ、その後、連動動作の点検として通信部１９に制御信号σ１を送信させるとともに、通信部１９がガスコンロ１からの電源停止信号σ２を受信したときに報知部１１に電源停止メッセージを報知させる。
【００８７】
点検用スイッチの操作により、安全性の確保のため、検知部が異常を検知したときに確実に行われる必要のある警報器による警報メッセージの報知とガスコンロの電源停止とを点検することができる。これにより、より安全性を確保してある。また、点検用スイッチに対する押操作が一定時間継続して行われないと点検動作が行われないようにすることで、不意に点検用スイッチを操作してしまった場合などに、不要に点検動作が行われ、警報メッセージが報知されたりガスコンロの電源が停止する不具合を回避してある。
【００８８】
点検動作における制御部１７の行う処理について、図９に示すフローチャートを用いて説明する。まず、検知部１５がいずれの異常・注意状態を検知していない状態で警報停止スイッチ１３に対する押操作が行われると（ステップ＃７０）、その押操作が一定時間継続して行われるかを判定する（ステップ＃７１）。なお、警報停止スイッチ１３に対する押操作が行われたとき、制御部１７は、電源ランプ１２ａを点滅させる。そして、ステップ＃７１において、押操作が一定時間継続して行われることなく、警報停止スイッチ１３への押操作が解除されると（ステップ＃７１：Ｎｏ）、制御部１７は点検動作を行わせることなく待機状態に戻る。
【００８９】
警報停止スイッチ１３に対する押操作が一定時間継続して行われたとき（ステップ＃７１：Ｙｅｓ）、制御部１７は報知部１１に点検動作を受け付けたことを示す受付音（例えば「ピッピッ」など）を報知させ（ステップ＃７２）、点検動作モードに切り換わる。そして、その後、警報停止スイッチ１３に対する押操作が解除されるまで待機し（ステップ＃７３：Ｎｏ）、押操作が解除されると（ステップ＃７３：Ｙｅｓ）、まずは、警報メッセージの点検として報知部１１に警報メッセージを報知させる（ステップ＃７４）。なお、押操作が解除されると（ステップ＃７３：Ｙｅｓ）、制御部１７はタイマー１６に時間の計測を新たに開始させる。
【００９０】
ステップ＃７４において、具体的には、まず火災メッセージを報知させ、次にガス漏れメッセージを報知させ、最後にＣＯ濃度異常メッセージを報知させる。このとき、制御部１７は、火災メッセージを報知させている間は火災警報ランプ１２ｅを往復表示させ、ガス漏れメッセージを報知させている間はガス警報ランプ１２ｄを点灯させ、ＣＯ濃度異常メッセージを報知させている間はＣＯ警報ランプ１２ｃを点灯させる。
【００９１】
次に、制御部１７は、連動動作の点検として通信部１９に制御信号σ１を送信させる（ステップ＃７５）。そして、制御部１７は、ガスコンロ１の電源が停止されてガスコンロ１の側からの電源停止信号σ２を通信部１９が受信するまで所定時間待機し、所定時間経過しても電源停止信号σ２を通信部１９が受信しないとき（ステップ＃７６：Ｎｏ）、再度通信部１９に制御信号σ１を送信させる（ステップ＃７５）。通信部１９が電源停止信号σ２を受信すると（ステップ＃７６：Ｙｅｓ）、制御部１７は報知部１１に電源停止メッセージを報知させる（ステップ＃７７）。制御部１７は、報知部１１に電源停止メッセージを報知させている間、ＣＯ警報ランプ１２ｃを点灯させ、ガス警報ランプ１２ｄを点灯させ、火災警報ランプ１２ｅを往復表示させる。
【００９２】
その後、報知部１１に電源停止メッセージを報知させた状態で（ステップ＃７７）、タイマー１６の計測する時間が所定の点検時間を経過するか（ステップ＃７８）、通信部１９がガスコンロ１からの電源投入信号σ３を受信したか（ステップ＃７９）、及び、警報停止スイッチ１３の押操作が行われたか（ステップ＃８０）を判定する。そして、制御部１７は、点検時間の経過（ステップ＃７８：Ｙｅｓ）、通信部１９によるガスコンロ１からの電源投入信号σ３の受信（ステップ＃７９：Ｙｅｓ）、及び、警報停止スイッチ１３の押操作（ステップ＃８０：Ｙｅｓ）のうちのいずれかがあったときに、報知部１１に電源停止メッセージの報知を停止させて点検動作の終了音（例えば「ピー」など）を報知させる（ステップ＃８１）。終了音の報知が終了すると点検動作を終了する。
【００９３】
以上が警報器１０についての説明である。そして、本実施形態に係る連動システムは、上記したような警報器１０とガスコンロ１とが連動動作する。つまり、警報器１０が送信する制御信号σ１によりガスコンロ１の電源が停止し、電源を停止したガスコンロ１から送信される電源停止信号σ２を警報器Ｓが受信して、警報器１０がガスコンロ１の電源停止メッセージの報知を行う。また、ガスコンロ１が電源投入信号σ３を警報器１０に送信したときは、警報器Ｓはこれを受信して対応する動作を行う。
【００９４】
次に図１０〜１６に示す表を参照しながら、本実施形態における連動システムＳにおいて、警報器１０の行う警報の態様の具体例について説明する。ここで、制御信号σ１を送信する第１設定時間は３０秒、電源停止メッセージの報知を停止する第２設定時間は９０秒（つまり、第１設定時間を経過してからは６０秒）、火災発生における火災メッセージを第１火災メッセージから第２火災メッセージに切り換える第４設定時間は２分、ＣＯ濃度の注意状態を検知してから制御信号σ１を送信するまでの時間である第５設定時間は５分、点検動作を終了する点検時間は６０秒、に設定してある。なお、以下の説明では現れないが、警報停止スイッチ１３の押操作による警報メッセージの報知を停止する時間である第３設定時間は５分と設定してある。
【００９５】
［ガス漏れ検知時］
図１０は、検知部１５がガス漏れ又はガス漏れの注意状態を検知しているときの警報器１０の行う警報の態様を示す。まず、検知部１５がガス漏れの注意状態を検知しているとき（ガス注意報）は、ガス警報ランプ１２ｄは点滅するが、報知部１１からは警報メッセージは報知されない。また、警報停止スイッチ１３が押されても、警報器１０は動作を変更しない。
【００９６】
検知部１５がガス漏れを検知しているとき（ガス警報）は、ガス警報ランプ１２ｄは点灯し、第１設定時間（３０秒）を経過するまで報知部１１から警報メッセージとしてガス漏れメッセージ（「ウー、ウー、ピッ、ピッ、ピッ、ピッ、ガスが漏れていませんか。」）が報知される。そして、第１設定時間（３０秒）を経過した後は、警報器１０がガスコンロ１の電源を停止させる制御信号σ１を送信（出力）し、ガスコンロ１が電源を停止すると、ガス漏れメッセージに加えて電源停止メッセージ（「ガスコンロを止めました。」）の報知も行われる。その後、第２設定時間（９０秒）を経過すると、電源停止メッセージは停止しガス漏れメッセージのみが報知部１１から再度報知される。
【００９７】
また、ガスコンロ１の電源が再投入されて警報器１０が電源投入信号σ３を受信したときは、第２設定時間（９０秒）経過前では電源停止メッセージが停止しガス漏れメッセージのみが報知部１１から報知され、第２設定時間（９０秒）経過後はそのままガス漏れメッセージのみが報知部１１から報知される。また、警報停止スイッチ１３が押操作されたときは、報知部１１からのガス漏れメッセージ、又はガス漏れメッセージ及び電源停止メッセージの報知は停止する。
【００９８】
第２設定時間（９０秒）を経過する前に検知部１５がガス漏れを検知しなくなったとき（復帰時）は、ガス漏れメッセージは停止し電源停止メッセージのみが報知部１１から報知される。第２設定時間（９０秒）を経過した後に検知部１５がガス漏れを検知しなくなったとき（復帰時）は、報知部１１からの報知が停止する。そして、いずれの場合もガス警報ランプ１２ｄが消灯する。
【００９９】
［ＣＯ濃度異常検知時］
図１１は、検知部１５が低濃度又は高濃度のＣＯ濃度異常を検知しているときの警報器１０の行う警報の態様を示す。まず、検知部１５が低濃度のＣＯ濃度異常を検知しているときの例を示す。検知部１５がＣＯ濃度の注意状態を検知しているとき（ＣＯ注意報）は、ＣＯ警報ランプ１２ｃが点滅するが、第５設定時間（５分）が経過するまで報知部１１からは警報メッセージは報知されない。そして、第５設定時間（５分）が経過した後は、検知部１５が低濃度のＣＯ濃度異常（ＣＯ警報・低濃度）を検知し、報知部１１からＣＯ濃度異常メッセージ（「ウー、ウー、ピッポッ、ピッポッ、空気が汚れて危険です。窓を開けて換気して下さい。」）の報知が開始される。
【０１００】
その後、ＣＯ濃度異常メッセージの報知から第１設定時間（３０秒）経過すると、警報器１０がガスコンロ１の電源を停止させる制御信号σ１を送信（出力）する。そして、ガスコンロ１が電源を停止すると、ＣＯ濃度異常メッセージに加えて電源停止メッセージ（「ガスコンロを止めました。」）の報知が報知部１１から行われる。その後、ＣＯ濃度異常メッセージの報知から第２設定時間（９０秒）を経過すると、電源停止メッセージは停止しＣＯ濃度異常メッセージのみが報知部１１から再度報知される。
【０１０１】
また、ガスコンロ１の電源が再投入されて警報器１０が電源投入信号σ３を受信したときは、ＣＯ濃度異常メッセージの報知から第２設定時間（９０秒）経過前では電源停止メッセージが停止しＣＯ濃度異常メッセージのみが報知部１１から報知され、第２設定時間（９０秒）経過後はそのままＣＯ濃度異常メッセージのみが報知部１１から報知される。また、警報停止スイッチ１３が押操作されたときは、報知部１１からのＣＯ濃度異常メッセージ、又はＣＯ濃度異常メッセージ及び電源停止メッセージの報知は停止する。
【０１０２】
第２設定時間（９０秒）を経過する前に検知部１５がＣＯ濃度の注意状態を検知しなくなったとき（低濃度のＣＯ濃度異常を検知しなくなったとき、復帰時）は、ＣＯ濃度異常メッセージは停止し電源停止メッセージのみが報知部１１から報知される。第２設定時間（９０秒）を経過した後に検知部１５がＣＯ濃度の注意状態を検知しなくなったとき（低濃度のＣＯ濃度異常を検知しなくなったとき、復帰時）は、報知部１１からの報知が停止する。そして、いずれの場合もＣＯ警報ランプ１２ｃが消灯する。
【０１０３】
次に、検知部１５が高濃度のＣＯ濃度異常を検知しているときの例を示す。検知部１５が高濃度のＣＯ濃度異常を検知しているとき（ＣＯガス「警報・高濃度」）は、ＣＯ警報ランプ１２ｃは点灯し、第１設定時間（３０秒）を経過するまで報知部１１から警報メッセージとしてＣＯ濃度異常メッセージが報知される。その後の警報の態様については、基本的に、検知部１５が低濃度のＣＯ濃度異常を検知しているときと同様であるが、警報停止スイッチ１３が押操作されたときにおいてのみ、検知部１５が低濃度のＣＯ濃度異常を検知しているときとは態様が異なる。つまり、警報停止スイッチ１３が押操作されたとき、第２設定時間（９０秒）経過前は、報知部１１から電源停止メッセージの報知は停止しＣＯ濃度異常メッセージのみが報知される。警報停止スイッチ１３の押操作が、第２設定時間（９０秒）経過後であるときは、ＣＯ濃度異常メッセージは停止することなく報知部１１からＣＯ濃度異常メッセージの報知が継続される。
【０１０４】
［ガス漏れ＋ＣＯ濃度異常検知時］
図１２は、検知部１５がガス漏れの注意状態と、高濃度のＣＯ濃度異常とを検知しているときの警報器１０の行う警報の態様を示す。まず、検知部１５がガス漏れの注意状態とＣＯ濃度異常とを検知しているとき（〔ガス同時検知〕ガス注意報  ＣＯ警報・高濃度）は、ＣＯ警報ランプ１２ｃが点灯し、ガス警報ランプ１２ｄは点滅する。そして、報知部１１から警報メッセージとしてＣＯ濃度異常メッセージのみが報知される。その後の警報の態様は、高濃度のＣＯ濃度異常検知時と同様であり、ここでの説明は省略する。
【０１０５】
図１３は、検知部１５がガス漏れと高濃度のＣＯ濃度異常とを検知しているときの警報器１０の行う警報の態様を示す。検知部１５がガス漏れと高濃度のＣＯ濃度異常とを検知しているとき（〔ガス同時検知〕ガス警報  ＣＯ警報・高濃度）は、ＣＯ警報ランプ１２ｃ及びガス警報ランプ１２ｄは点灯し、第１設定時間（３０秒）を経過するまで報知部１１から警報メッセージとしてガス漏れメッセージとＣＯ濃度異常メッセージとが報知される。そして、第１設定時間（３０秒）を経過した後は、警報器１０がガスコンロ１の電源を停止させる制御信号σ１を送信（出力）し、ガスコンロ１が電源を停止すると、ガス漏れメッセージ及びＣＯ濃度異常メッセージに加えて電源停止メッセージ（「ガスコンロを止めました。」）の報知も行われる。その後、第２設定時間（９０秒）を経過すると、電源停止メッセージは停止し、ガス漏れメッセージとＣＯ濃度異常メッセージとが報知部１１から報知される。
【０１０６】
また、ガスコンロ１の電源が再投入されて警報器１０が電源投入信号σ３を受信したときは、第２設定時間（９０秒）経過前では電源停止メッセージが停止しガス漏れメッセージとＣＯ濃度異常メッセージのみが報知部１１から報知され、第２設定時間（９０秒）経過後はそのままガス漏れメッセージとＣＯ濃度異常メッセージとが報知部１１から報知される。そして、警報停止スイッチ１３が押操作されたとき、第２設定時間（９０秒）経過前は、報知部１１から電源停止メッセージ・ガス漏れメッセージの報知は停止しＣＯ濃度異常メッセージのみが報知される。警報停止スイッチ１３の押操作が、第２設定時間（９０秒）経過後であるときは、ガス漏れメッセージの報知は停止するがＣＯ濃度異常メッセージは停止することなく報知部１１から報知が継続される。
【０１０７】
第２設定時間（９０秒）を経過する前に検知部１５がガス漏れ・ＣＯ濃度異常を検知しなくなったとき（復帰時）は、ガス漏れメッセージ・ＣＯ濃度異常メッセージは停止し電源停止メッセージのみが報知部１１から報知される。第２設定時間（９０秒）を経過した後に検知部１５がガス漏れ・ＣＯ濃度異常を検知しなくなったとき（復帰時）は、報知部１１からの報知が停止する。そして、いずれの場合もＣＯ警報ランプ１２ｃ及びガス警報ランプ１２ｄが消灯する。
【０１０８】
［火災発生検知時］
図１４は、検知部１５が火災発生を検知しているときの警報器１０の行う警報の態様を示す。検知部１５が火災発生を検知しているとき（火災警報）は、火災警報ランプ１２ｅは往復表示し、第１設定時間（３０秒）を経過するまで報知部１１から警報メッセージとして第１火災メッセージ（火災警報音１「ウー、ウー、カン、カン、カン、火災警報器が作動しました。確認して下さい。」）が報知される。そして、第１設定時間（３０秒）を経過した後は、警報器１０がガスコンロ１の電源を停止させる制御信号σ１を送信（出力）し、ガスコンロ１が電源を停止すると、第１火災メッセージに加えて電源停止メッセージ（「ガスコンロを止めました。」）の報知も行われる。その後、第２設定時間（９０秒）を経過すると、電源停止メッセージは停止し第１火災メッセージのみが報知部１１から再度報知される。さらに、第４設定時間（２分）を経過すると、第１火災メッセージに代えて第２火災メッセージ（第２警報音「ウー、ウー、カン、カン、カン、火事です。火事です。」）のみが報知部１１から再度報知される。
【０１０９】
また、第２設定時間（９０秒）経過前にガスコンロ１の電源が再投入されて警報器１０が電源投入信号σ３を受信したときは、電源停止メッセージが停止し第１火災メッセージのみが報知部１１から報知され、第２設定時間（９０秒）経過後で第４設定時間（２分）経過前に電源投入信号σ３を受信したときはそのまま第１火災メッセージが報知部１１から報知される。なお、第４設定時間（２分）経過後に電源投入信号σ３を受信したときはそのまま第２火災メッセージが報知部１１から報知される。また、警報停止スイッチ１３が押操作されたときは、報知部１１からの火災メッセージ、又は火災メッセージ及び電源停止メッセージの報知は停止する。
【０１１０】
第２設定時間（９０秒）を経過する前に検知部１５が火災発生を検知しなくなったとき（復帰時）は、第１火災メッセージは停止し電源停止メッセージのみが報知部１１から報知される。第２設定時間（９０秒）を経過した後に検知部１５がガス漏れを検知しなくなったとき（復帰時）は、報知部１１からの報知が停止する。そして、いずれの場合も火災警報ランプ１２ｅが消灯する。
【０１１１】
［ガス漏れ＋ＣＯ濃度異常＋火災発生検知時］
図１５は、検知部１５がガス漏れと高濃度のＣＯ濃度異常と火災発生とを検知しているときの警報器１０の行う警報の態様を示す。検知部１５がガス漏れと高濃度のＣＯ濃度異常と火災発生とを検知しているとき（〔複合警報〕火災警報  ガス警報  ＣＯ警報）は、ＣＯ警報ランプ１２ｃ、ガス警報ランプ１２ｄは点灯し、火災警報ランプ１２ｅは往復表示し、第１設定時間（３０秒）を経過するまで報知部１１から警報メッセージとして危険性の高い第１火災メッセージのみが報知される。
【０１１２】
そして、第１設定時間（３０秒）を経過した後は、警報器１０がガスコンロ１の電源を停止させる制御信号σ１を送信（出力）し、ガスコンロ１が電源を停止すると、第１火災メッセージに加えて電源停止メッセージ（「ガスコンロを止めました。」）の報知も行われる。その後、第２設定時間（９０秒）を経過すると、電源停止メッセージは停止し第１火災メッセージのみが報知部１１から再度報知される。さらに、第４設定時間（２分）を経過すると、第１火災メッセージに代えて第２火災メッセージ（第２警報音「ウー、ウー、カン、カン、カン、火事です。火事です。」）のみが報知部１１から再度報知される。
【０１１３】
また、第２設定時間（９０秒）経過前にガスコンロ１の電源が再投入されて警報器１０が電源投入信号σ３を受信したときは、電源停止メッセージが停止し第１火災メッセージのみが報知部１１から報知され、第２設定時間（９０秒）経過後で第４設定時間（２分）経過前に電源投入信号σ３を受信したときはそのまま第１火災メッセージが報知部１１から報知される。なお、第４設定時間（２分）経過後に電源投入信号σ３を受信したときはそのまま第２火災メッセージが報知部１１から報知される。
【０１１４】
また、警報停止スイッチ１３が押操作されたときは、報知部１１からの火災メッセージ、又は火災メッセージ及び電源停止メッセージの報知は停止し、代わりにＣＯ濃度異常メッセージの報知が開始する。
【０１１５】
第２設定時間（９０秒）を経過する前に検知部１５がガス漏れ・ＣＯ濃度異常・火災発生を検知しなくなったとき（復帰時）は、第１火災メッセージは停止し電源停止メッセージのみが報知部１１から報知される。第２設定時間（９０秒）を経過した後に検知部１５がガス漏れ・ＣＯ濃度異常・火災発生を検知しなくなったとき（復帰時）は、報知部１１からの報知が停止する。そして、いずれの場合もＣＯ警報ランプ１２ｃ、ガス警報ランプ１２ｄ、及び、火災警報ランプ１２ｅが消灯する。
【０１１６】
［点検動作］
図１６は、点検動作を行うときの警報器１０の行う警報の態様を示す。検知部１５がいずれの異常・注意状態を検知していない状態で警報停止スイッチ１３に対する押操作が行われると、電源ランプ１２ａが点灯する。そして、警報停止スイッチ１３に対する押操作が３秒間継続して行われると、報知部１１から受付音（「ピッピッ」）が報知される。
【０１１７】
その後、警報停止スイッチ１３を離すと（押操作を解除すると）、警報メッセージの点検として、まず第２火災メッセージが一回報知され、続けて第１火災メッセージが一回報知される。なお、第１及び第２火災メッセージが報知されている間は火災警報ランプ１２ｅが往復表示を行い、第１及び第２火災メッセージの報知が終わると火災警報ランプ１２ｅが消灯する。
【０１１８】
次に、警報メッセージの点検として、ガス漏れメッセージが一回報知される。なお、ガス漏れメッセージが報知されている間はガス警報ランプ１２ｄが点灯し、ガス漏れメッセージの報知が終わるとガス警報ランプ１２ｄが消灯する。
【０１１９】
続けて、警報メッセージの点検として、ＣＯ濃度異常メッセージが一回報知される。なお、ＣＯ濃度異常メッセージが報知されている間はＣＯ警報ランプ１２ｃが点灯し、ＣＯ濃度異常メッセージの報知が終わるとＣＯ警報ランプ１２ｃが消灯する。
【０１２０】
ＣＯ濃度異常メッセージの報知が終了すると、連動動作の点検として、警報器１０がガスコンロ１の電源を停止させる制御信号σ１を送信（出力）し、電源停止メッセージ（「ガスコンロを止めました。」）の報知が繰り返し行われる。
【０１２１】
そして、点検時間（６０秒）経過、ガスコンロ電源の再投入（ガスコンロ１の電源投入信号σ３の受信）、及び、警報停止スイッチ１３の押操作のうちのいずれかがあったときに、電源停止メッセージの報知が停止し、点検動作の終了音（「ピー」）の報知が行われ点検動作を終了する。
【０１２２】
〔その他の実施形態〕
最後に、本発明に係る警報器及び警報器とガスコンロとの連動システムのその他の実施形態について説明する。なお、以下のそれぞれの実施形態で開示される構成は、矛盾が生じない限り、他の実施形態で開示される構成と組み合わせて適用することも可能である。
【０１２３】
（１）上記の実施形態では、第１設定時間は３０秒、第２設定時間は９０秒、第３設定時間は５分、第４設定時間は２分、第５設定時間は５分、点検時間は６０秒、に設定した構成を例として説明した。しかし、本発明の実施形態はこれに限定されず、各時間については適宜変更して設定しても良い。
【０１２４】
（２）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【０１２５】
本発明は、例えばガス漏れ、ＣＯ濃度異常、及び、火災発生を検知する警報器や、警報器とガスコンロとの連動システムに利用することができる。
【符号の説明】
【０１２６】
１     ガスコンロ
１０   警報器
１１   報知部
１３   警報停止スイッチ（点検用スイッチ）
１５   検知部
１７   制御部
１９   通信部
Ｓ     連動システム
σ１   制御信号
σ２   電源停止信号
σ３   電源投入信号
【図１】
0006558924.tif 000002
【図２】
0006558924.tif 000003
【図３】
0006558924.tif 000004
【図４】
0006558924.tif 000005
【図５】
0006558924.tif 000006
【図６】
0006558924.tif 000007
【図７】
0006558924.tif 000008
【図８】
0006558924.tif 000009
【図９】
0006558924.tif 000010
【図１０】
0006558924.tif 000011
【図１１】
0006558924.tif 000012
【図１２】
0006558924.tif 000013
【図１３】
0006558924.tif 000014
【図１４】
0006558924.tif 000015
【図１５】
0006558924.tif 000016
【図１６】
0006558924.tif 000017